(57)【要約】【課題】サーバーとクライアント間において通話を成立させることなくデータ通信を行い、通信コストを削減することができるデータ通信制御方法及び制御装置を提供することを目的とする。【解決手段】上記の問題点を解決するために、複数の通信網のいずれか一つを介して、制御機器が接続されたクライアントとデータ通信サーバーとのデータ通信を制御するデータ通信制御方法であって、上記データ通信サーバーは、上記制御機器の状態を示す状態情報を管理する状態情報管理手順と、上記クライアントから電話発信された上記データ通信サーバーを指定する電話番号に付加された上記状態情報を、上記クライアントと接続しない状態で取得する取得手順とを有する。【選択図】        図１
2004304726.tif 000002
【特許請求の範囲】
【請求項１】
複数の通信網のいずれか一つを介して、制御機器が接続されたクライアントとデータ通信サーバーとのデータ通信を制御するデータ通信制御方法であって、
上記データ通信サーバーは、上記制御機器の状態を示す状態情報を管理する状態情報管理手順と、
上記クライアントから電話発信された上記データ通信サーバーを指定する電話番号に付加された上記状態情報を、上記クライアントと接続しない状態で取得する取得手順とを有することを特徴とするデータ通信制御方法。
【請求項２】
上記状態情報は、電話の発信及び着信を制御するサブアドレスであることを特徴とする請求項１記載のデータ通信制御方法。
【請求項３】
複数の通信網のいずれか一つを介して、制御機器が接続されたクライアントとデータ通信サーバーとを接続しない状態でデータ通信を制御するデータ通信制御方法であって、
上記制御機器に接続された制御装置は、上記クライアントに接続された上記制御機器の状態を示す状態情報を、上記データ通信サーバーを指定する電話番号に付加する付加手順と、
上記付加手順により上記状態情報が付加された上記電話番号で上記データ通信サーバーに電話発信を行う電話発信手順とを有することを特徴とするデータ通信制御方法。
【請求項４】
上記状態情報は、電話の発信及び着信を制御するサブアドレスであることを特徴とする請求項３記載のデータ通信制御方法。
【請求項５】
複数の通信網のいずれか一つを介して、制御機器が接続されたクライアントとデータ通信サーバーとを接続しない状態でデータ通信を制御するデータ通信制御方法であって、
上記データ通信サーバーは、上記データ通信サーバーを指定する複数の電話番号毎に上記制御機器の制御指示を定義した定義情報を管理する定義情報管理手順と、
上記クライアントに所定の上記電話番号で電話発信を行う電話発信手順とを有することを特徴とするデータ通信制御方法。
【請求項６】
上記データ通信サーバーを指定する複数の電話番号は、上記クライアントにｎビットのデータが送信可能な２ｎもしくは２ｎ３＋１本の電話回線の電話番号であることを特徴とする請求項５記載のデータ通信制御方法。
【請求項７】
上記データ通信サーバーを指定する複数の電話番号は、上記クライアントにｎビットのデータが送信可能な２ｎもしくは２ｎ２４＋１本の電話回線の電話番号であることを特徴とする請求項５記載のデータ通信制御方法。
【請求項８】
上記データ通信サーバーを指定する複数の電話番号は、上記クライアントにｎビットのデータが送信可能な１もしくは２本の電話回線の電話番号であることを特徴とする請求項５記載のデータ通信制御方法。
【請求項９】
上記定義情報管理手順は、所定の上記電話番号にデータ送信開始を示すスタートビットを定義した定義情報を管理することを特徴とする請求項８記載のデータ通信制御方法。
【請求項１０】
上記定義情報管理手順は、所定の上記電話番号に定義した送信データのｎビットに対して、データ送信終了を示すストップビットを定義した定義情報を管理することを特徴とする請求項８記載のデータ通信制御方法。
【請求項１１】
複数の通信網のいずれか一つを介して、制御機器が接続されたクライアントとデータ通信サーバーとのデータ通信を制御するデータ通信制御方法であって、
上記制御機器に接続された制御装置は、上記データ通信サーバーと接続しない状態で上記データ通信サーバーにより電話発信された電話番号を取得する取得手順と、
上記取得手順により取得した上記電話番号と、上記データ通信サーバーを指定する複数の電話番号毎に上記制御機器の制御指示を定義した定義情報とに基づいて、上記制御機器の制御指示を認識する認識手順とを有することを特徴とするデータ通信制御方法。
【請求項１２】
データ通信サーバーに接続され、複数の通信網のいずれか一つを介して、制御機器が接続されたクライアントと上記データ通信サーバーとのデータ通信を制御する制御装置であって、
上記クライアントから電話発信された上記データ通信サーバーを指定する電話番号に付加された上記制御機器の状態を示す状態情報を、上記クライアントと接続しない状態で取得する取得手段を有することを特徴とする制御装置。
【請求項１３】
クライアントに接続された制御機器に接続され、複数の通信網のいずれか一つを介して、上記クライアントとデータ通信サーバーとを接続しない状態でデータ通信を制御する制御装置であって、
上記制御機器の状態を示す状態情報を、上記データ通信サーバーを指定する電話番号に付加する付加手段と、
上記付加手段により上記状態情報が付加された上記電話番号で上記データ通信サーバーに電話発信を行う電話発信手段とを有することを特徴とする制御装置。
【請求項１４】
データ通信サーバーに接続され、複数の通信網のいずれか一つを介して、制御機器が接続されたクライアントとデータ通信サーバーとのデータ通信を制御する制御装置であって、
上記制御機器の制御指示を示す定義情報が定義された上記データ通信サーバーを指定する複数の電話番号のうち所定の電話番号で、上記クライアントに電話発信を行う電話発信手段を有することを特徴とする制御装置。
【請求項１５】
クライアントに接続された制御機器に接続され、複数の通信網のいずれか一つを介して、上記クライアントとデータ通信サーバーとを接続しない状態でデータ通信を制御する制御装置であって、
上記データ通信サーバーと接続しない状態で上記データ通信サーバーにより電話発信された電話番号を取得する取得手段と、
上記取得手段により取得した上記電話番号と、上記データ通信サーバーを指定する複数の電話番号毎に上記制御機器の制御指示を定義した定義情報とに基づいて、上記制御機器の制御指示を認識する認識手段を有することを特徴とする制御装置。
【請求項１６】
複数の通信網のいずれか一つを介して、制御機器が接続されたクライアントとデータ通信サーバーとのデータ通信を制御するデータ通信制御方法における処理をコンピュータに行なわせるためのプログラムであって、
上記制御機器の状態を示す状態情報を管理する状態情報管理手順と、
上記クライアントから電話発信された上記データ通信サーバーを指定する電話番号に付加された上記状態情報を、上記クライアントと接続しない状態で取得する取得手順とを有することを特徴とするプログラム。
【請求項１７】
複数の通信網のいずれか一つを介して、制御機器が接続されたクライアントとデータ通信サーバーとを接続しない状態でデータ通信を制御するデータ通信制御方法における処理をコンピュータに行なわせるためのプログラムであって、
上記データ通信サーバーを指定する複数の電話番号毎に上記制御機器の制御指示を定義した定義情報を管理する定義情報管理手順と、
上記クライアントに所定の上記電話番号で電話発信を行う電話発信手順とを有することを特徴とするプログラム。
【請求項１８】
複数の通信網のいずれか一つを介して、制御機器が接続されたクライアントとデータ通信サーバーとのデータ通信を制御するデータ通信制御方法における処理をコンピュータに行なわせるためのプログラムを格納した記録媒体であって、
上記制御機器の状態を示す状態情報を管理する状態情報管理手順と、
上記クライアントから電話発信された上記データ通信サーバーを指定する電話番号に付加された上記状態情報を、上記クライアントと接続しない状態で取得する取得手順とを有することを特徴とするプログラムを格納した記録媒体。
【請求項１９】
複数の通信網のいずれか一つを介して、制御機器が接続されたクライアントとデータ通信サーバーとを接続しない状態でデータ通信を制御するデータ通信制御方法における処理をコンピュータに行なわせるためのプログラムを格納した記録媒体であって、
上記データ通信サーバーを指定する複数の電話番号毎に上記制御機器の制御指示を定義した定義情報を管理する定義情報管理手順と、
上記クライアントに所定の上記電話番号で電話発信を行う電話発信手順とを有することを特徴とするプログラムを格納した記録媒体。
【請求項２０】
ＰＨＳ通信網を介して、ＰＨＳ携帯電話によりデータを発信するクライアントと、制御機器が接続されたデータ通信サーバーとのデータ通信を制御するデータ通信制御方法であって、
上記クライアントは、上記ＰＨＳ携帯電話のユーザーの指紋情報に基づいて認証を行う認証手順と、
上記ＰＨＳ携帯電話から上記ユーザーを識別するユーザーＩＤと、上記認証手順による認証結果とをサブアドレスを付加して電話発信する電話発信手順とを有し、
上記データ通信サーバーは、上記クライアントから電話発信された上記データ通信サーバーを指定する電話番号に付加された上記サブアドレス、上記ユーザーＩＤ及び上記認証結果を、上記クライアントと接続しない状態で取得する取得手順と、
上記クライアントから送信されたユーザーＩＤと認証結果とを管理する認証情報管理手順とを有することを特徴とするデータ通信制御方法。
【発明の詳細な説明】
【０００１】
【発明の属する技術分野】
本発明はデータ通信制御方法及び制御装置に係り、特に、ネットワークを介してサーバーとクライアント間のデータ通信において、通信コストを掛けることなくデータ通信を制御するデータ通信制御方法及び制御装置に関する。
【０００２】
また、本発明は、データ通信制御方法における処理をコンピュータに行なわせるためのプログラム及びそのプログラムを格納した記録媒体に関する。
【０００３】
【従来の技術】
近年、デジタル通信回線網及びＰＨＳ網（Ｐｅｒｓｏｎａｌ  Ｈａｎｄｙｐｈｏｎｅ  Ｓｙｓｔｅｍ）、アナログ回線網（ＰＳＴＮ（Ｐｕｂｌｉｃ  Ｓｗｉｔｃｈｅｄ  Ｔｅｌｅｐｈｏｎｅ  Ｎｅｔｗｏｒｋ））等のネットワークに接続されたサーバーと複数のクライアント間で音声及びデータに関する通信を行うクライアントサーバーシステムが存在する。上記ネットワーク上で、サーバーは交換機を介して各クライアントからの音声及びデータを受信する。この場合、各クライントは伝送先のサーバーを特定するために、サーバーの電話番号を用いて通信を行う。同様に、各クライアントがサーバーからの音声及びデータを受信する場合、サーバーは伝送先のクライアントの電話番号を用いて通信を行う。
【０００４】
現在、デジタル回線網を用いた伝送方式としてＩＳＤＮ（Ｉｎｔｅｇｒａｔｅｄ  Ｓｅｒｖｉｃｅ  Ｄｉｇｉｔａｌ  Ｎｅｔｗｏｒｋ）が主流であり、ＩＳＤＮでは基本インタフェース（ＰＲＩ）と一次群インタフェース（ＢＲＩ）が提供されている。上記基本インタフェース及び一次群インタフェースでは、電話の発着を制御する呼制御信号を伝達する伝送路であるＤチャネルと、音声及びデータなどの通信用データの伝送路であるＢチャネルなどが利用可能である。例えば、上記クライアントサーバーシステムによりデジタル回線網を介して通信を行う場合、クライアント又はサーバーで特定の電話番号に電話発信が行われると、Ｄチャネルにより制御用信号が伝送され、サーバー又はクライアントの伝送先で着呼する。伝送先は、着呼した通信用データの伝送路であるＢチャネルにより伝送元からデータを受信する。このとき、通話が成立したものとして通信料金が課金される。通常、デジタル回線網等のネットワークの通信コストは、月額基本料金と通信料金とを合わせたものとなり、上記のように通話が成立する毎に通話料金が課金される。
【０００５】
また、上記クライアントサーバーシステムによりデジタル回線網を介して通信を行う場合、加入者回線終端装置（ＤＳＵ（Ｄｉｇｉｔａｌ  Ｓｅｒｖｉｃｅ  Ｕｎｉｔ））により複数接続されている機器を識別するために、サブアドレスを使用する場合がある。例えば、ＤＳＵからＢＵＳを介して複数接続された電話やＦａｘ（ファクシミリ）などの接続機器を識別するために、予めこれらの接続機器にサブアドレスを付加し、接続機器の識別を行う。
【０００６】
【発明が解決しようとする課題】
しかしながら、上記クライアントサーバーシステムにおいて、通信コストは月額基本料金と通信料金とを合わせた料金であり、上記のように通話が成立する毎に、通話料金が課金されると、通信コストが掛かってしまうという問題点があった。例えば、自動販売機などに設置されたＰＨＳにより、ＰＨＳ網を介して自動販売機で販売されている商品を管理する管理サーバーへ、所定時間経過後に商品在庫情報を自動伝送するシステムでは、商品在庫情報を受信する毎に通信料金が発生してしまう。従って、月毎の通信コストを換算すると、高額の通信コストが掛かってしまうという問題点があった。
【０００７】
そこで、本発明の第一の課題は、サーバーとクライアント間において通話を成立させることなくデータ通信を行い、通信コストを削減することができるデータ通信制御方法及びデータ通信を制御する制御装置を提供することである。
【０００８】
また、本発明の第二の課題は、上記データ通信制御方法による処理をコンピュータに行なわせるためのプログラム及びそのプログラムを格納した記録媒体を提供することである。
【０００９】
【課題を解決するための手段】
上記第一の課題を解決するため、本発明は、請求項１に記載されるように、複数の通信網のいずれか一つを介して、制御機器が接続されたクライアントとデータ通信サーバーとのデータ通信を制御するデータ通信制御方法であって、上記データ通信サーバーは、上記制御機器の状態を示す状態情報を管理する状態情報管理手順と、上記クライアントから電話発信された上記データ通信サーバーを指定する電話番号に付加された上記状態情報を、上記クライアントと接続しない状態で取得する取得手順とを有する構成とされる。
【００１０】
このようなデータ通信制御方法では、デジタル通信回線網又はＰＨＳ網を介して、データ通信サーバーは制御機器の状態を示す状態情報を管理し、クライアントから電話発信されたデータ通信サーバーを指定する電話番号に付加された状態情報を、クライアントと接続しない状態で取得することにより、データ通信サーバーとクライアント間において通話を成立させることなく効率的にデータ通信を行うことができ、通信コストを削減することができる。
【００１１】
また、上記第一の課題を解決するため、本発明は、請求項２、４に記載されるように、上記伝送情報は、電話の発信及び着信を制御するサブアドレスとする構成としてもよい。
【００１２】
このようなデータ通信制御方法では、伝送情報として電話の発信及び着信を制御するサブアドレスを用いることにより、データ通信サーバーとクライアント間において通話を成立させることなく効率的なデータ通信を行うことができ、通信コストを削減することができる。
【００１３】
上記第一の課題を解決するため、本発明は、請求項３に記載されるように、複数の通信網のいずれか一つを介して、制御機器が接続されたクライアントとデータ通信サーバーとを接続しない状態でデータ通信を制御するデータ通信制御方法であって、上記制御機器に接続された制御装置は、上記クライアントに接続された上記制御機器の状態を示す状態情報を、上記データ通信サーバーを指定する電話番号に付加する付加手順と、上記付加手順により上記状態情報が付加された上記電話番号で上記データ通信サーバーに電話発信を行う電話発信手順とを有する構成としてもよい。
【００１４】
このようなデータ通信制御方法では、デジタル通信回線網又はＰＨＳ網を介して、クライアントの制御機器に接続された制御装置が、クライアントに接続された制御機器の状態を示す状態情報を、データ通信サーバーを指定する電話番号に付加し、その電話番号でデータ通信サーバーに電話発信を行うことにより、データ通信サーバーとクライアント間において通話を成立させることなく効率的にデータ通信を行うことができ、通信コストを削減することができる。
【００１５】
上記第一の課題を解決するため、本発明は、請求項５に記載されるように、複数の通信網のいずれか一つを介して、制御機器が接続されたクライアントとデータ通信サーバーとを接続しない状態でデータ通信を制御するデータ通信制御方法であって、上記データ通信サーバーは、上記データ通信サーバーを指定する複数の電話番号毎に上記制御機器の制御指示を定義した定義情報を管理する定義情報管理手順と、上記クライアントに所定の上記電話番号で電話発信を行う電話発信手順とを有する構成としてもよい。
【００１６】
このようなデータ通信制御方法では、デジタル通信回線網又は、アナログ通信回線網又はＰＨＳ網を介して、データ通信サーバーは、データ通信サーバーを指定する複数の電話番号毎に制御機器の制御指示を定義した定義情報を管理し、クライアントに所定の上記電話番号で電話発信を行うことにより、データ通信サーバーとクライアント間において通話を成立させることなく効率的なデータ通信を行うことができ、通信コストを削減することができる。
【００１７】
上記第一の課題を解決するため、本発明は、請求項６に記載されるように、上記データ通信サーバーを指定する複数の電話番号は、上記クライアントにｎビットのデータが送信可能な２ｎもしくは２ｎ＋１本の電話回線の電話番号とする構成としてもよい。
【００１８】
このようなデータ通信制御方法では、クライアントにｎビットのデータが送信可能な２ｎもしくは２ｎ＋１本の電話回線の電話番号を用いることにより、データ通信サーバーとクライアント間において通話を成立させることなく複数のビットのデータ通信を行うことができる。
【００１９】
上記第一の課題を解決するため、本発明は、請求項７に記載されるように、上記データ通信サーバーを指定する複数の電話番号は、上記クライアントにｎビットのデータが送信可能な２ｎもしくは２ｎ＋１本の電話回線の電話番号とする構成としてもよい。
【００２０】
このようなデータ通信制御方法では、クライアントにｎビットのデータが送信可能な２ｎもしくは２ｎ＋１本の電話回線の電話番号を用いることにより、データ通信サーバーとクライアント間において通話を成立させることなく複数のビットのデータ通信を行うことができる。
【００２１】
上記第一の課題を解決するため、本発明は、請求項８に記載されるように、上記データ通信サーバーを指定する複数の電話番号は、上記クライアントにｎビットのデータが送信可能な１もしくは２本の電話回線の電話番号とする構成としてもよい。
【００２２】
このようなデータ通信制御方法では、クライアントにｎビットのデータが送信可能な１もしくは２本の電話回線の電話番号を用いることにより、データ通信サーバーとクライアント間において通話を成立させることなく複数のビットのデータ通信を行うことができる。
【００２３】
上記第一の課題を解決するため、本発明は、請求項９に記載されるように、上記定義情報管理手順は、所定の上記電話番号にデータ送信開始を示すスタートビットを定義した定義情報を管理する構成としてもよい。
【００２４】
このようなデータ通信制御方法では、定義情報管理手順は、所定の電話番号にデータ送信開始を示すスタートビットを定義した定義情報を管理することにより、データ通信サーバーとクライアントとを接続しない状態でデータ送信の開始を認識させることができる。
【００２５】
上記第一の課題を解決するため、本発明は、請求項１０に記載されるように、上記定義情報管理手順は、所定の上記電話番号に定義した送信データのｎビットに対して、データ送信終了を示すストップビットを定義した定義情報を管理する構成としてもよい。
【００２６】
このようなデータ通信制御方法では、定義情報管理手順は、所定の電話番号に定義した送信データのｎビットに対して、データ送信終了を示すストップビットを定義した定義情報を管理することにより、データ通信サーバーとクライアントとを接続しない状態でデータ送信の終了を認識させることができる。
【００２７】
上記第一の課題を解決するため、本発明は、請求項１１に記載されるように、複数の通信網のいずれか一つを介して、制御機器が接続されたクライアントとデータ通信サーバーとのデータ通信を制御するデータ通信制御方法であって、上記制御機器に接続された制御装置は、上記データ通信サーバーと接続しない状態で上記データ通信サーバーにより電話発信された電話番号を取得する取得手順と、上記取得手順により取得した上記電話番号と、上記データ通信サーバーを指定する複数の電話番号毎に上記制御機器の制御指示を定義した定義情報とに基づいて、上記制御機器の制御指示を認識する認識手順とを有する構成としてもよい。
【００２８】
このようなデータ通信制御方法では、デジタル通信回線網又は、アナログ通信回線網又はＰＨＳ網を介して、クライアントの制御機器に接続された制御装置がデータ通信サーバーと接続しない状態でデータ通信サーバーにより電話発信された電話番号を受信し、その電話番号と、データ通信サーバーを指定する複数の電話番号毎に制御機器の制御指示を定義した定義情報とに基づいて、制御機器の制御指示を認識することにより、データ通信サーバーとクライアント間において通話を成立させることなくデータを受信することができ、通信コストを削減することができる。
【００２９】
上記第一の課題を解決するため、本発明は、請求項１２に記載されるように、データ通信サーバーに接続され、複数の通信網のいずれか一つを介して、制御機器が接続されたクライアントと上記データ通信サーバーとのデータ通信を制御する制御装置であって、上記クライアントから電話発信された上記データ通信サーバーを指定する電話番号に付加された上記制御機器の状態を示す状態情報を、上記クライアントと接続しない状態で取得する取得手段を有する構成としてもよい。
【００３０】
このような制御装置では、デジタル通信回線網又はＰＨＳ網を介して、クライアントから電話発信されたデータ通信サーバーを指定する電話番号に付加された制御機器の状態を示す状態情報を、クライアントと接続しない状態で受信することにより、通信コストを削減することができる。
【００３１】
上記第一の課題を解決するため、本発明は、請求項１３に記載されるように、クライアントに接続された制御機器に接続され、複数の通信網のいずれか一つを介して、上記クライアントとデータ通信サーバーとを接続しない状態でデータ通信を制御する制御装置であって、上記制御機器の状態を示す状態情報を、上記データ通信サーバーを指定する電話番号に付加する付加手段と、上記付加手段により上記状態情報が付加された上記電話番号で上記データ通信サーバーに電話発信を行う電話発信手段とを有する構成としてもよい。
【００３２】
このような制御装置では、デジタル通信回線網又はＰＨＳ網を介して、制御機器の状態を示す伝送情報を、データ通信サーバーを指定する電話番号に付加し、その電話番号でデータ通信サーバーに電話発信を行うことにより、データ通信サーバーとクライアント間において通話を成立させることなくデータを送信することができ、通信コストを削減することができる。
【００３３】
上記第一の課題を解決するため、本発明は、請求項１４に記載されるように、データ通信サーバーに接続され、複数の通信網のいずれか一つを介して、制御機器が接続されたクライアントとデータ通信サーバーとのデータ通信を制御する制御装置であって、上記制御機器の制御指示を示す定義情報が定義された上記データ通信サーバーを指定する複数の電話番号のうち所定の電話番号で、上記クライアントに電話発信を行う電話発信手段を有する構成としてもよい。
【００３４】
このような制御装置では、デジタル通信回線網又は、アナログ通信回線網又はＰＨＳ網を介して、制御機器の制御指示を示す定義情報が定義されたデータ通信サーバーを指定する複数の電話番号のうち所定の電話番号でクライアントに電話発信を行うことにより、通信コストを削減することができる。
【００３５】
上記第一の課題を解決するため、本発明は、請求項１５に記載されるように、クライアントに接続された制御機器に接続され、複数の通信網のいずれか一つを介して、上記クライアントとデータ通信サーバーとを接続しない状態でデータ通信を制御する制御装置であって、上記データ通信サーバーと接続しない状態で上記データ通信サーバーにより電話発信された電話番号を取得する取得手段と、上記取得手段により取得した上記電話番号と、上記データ通信サーバーを指定する複数の電話番号毎に上記制御機器の制御指示を定義した定義情報とに基づいて、上記制御機器の制御指示を認識する認識手段を有する構成としてもよい。
【００３６】
このような制御装置では、デジタル通信回線網又は、アナログ通信回線網又はＰＨＳ網を介して、データ通信サーバーと接続しない状態でデータ通信サーバーにより電話発信された電話番号を受信し、その電話番号とデータ通信サーバーを指定する複数の電話番号毎に制御機器の制御指示を定義した定義情報とに基づいて、制御機器の制御指示を認識することにより、データ通信サーバーとクライアント間において通話を成立させることなくデータを受信することができ、通信コストを削減することができる。
【００３７】
上記第一の課題を解決するため、本発明は、請求項２０に記載されるように、ＰＨＳ通信網を介して、ＰＨＳ携帯電話によりデータを発信するクライアントと、制御機器が接続されたデータ通信サーバーとのデータ通信を制御するデータ通信制御方法であって、上記クライアントは、上記ＰＨＳ携帯電話のユーザーの指紋情報に基づいて認証を行う認証手順と、上記ＰＨＳ携帯電話から上記ユーザーを識別するユーザーＩＤと、上記認証手順による認証結果とをサブアドレスを付加して電話発信する電話発信手順とを有し、上記データ通信サーバーは、上記クライアントから電話発信された上記データ通信サーバーを指定する電話番号に付加された上記サブアドレス、上記ユーザーＩＤ及び上記認証結果を、上記クライアントと接続しない状態で取得する取得手順と、上記クライアントから送信されたユーザーＩＤと認証結果とを管理する認証情報管理手順とを有する構成としてもよい。
【００３８】
このような制御装置では、ＰＨＳ通信網を介して、クライアントはＰＨＳ携帯電話のユーザーの指紋情報に基づいて認証を行い、ＰＨＳ携帯電話からユーザーを識別するユーザーＩＤ、認証結果とをサブアドレスを付加して電話発信し、データ通信サーバーは、クライアントから電話発信されたデータ通信サーバーを指定する電話番号に付加されたサブアドレス、ユーザーＩＤ及び認証結果を、クライアントと接続しない状態で取得し、ユーザーＩＤと認証結果とを管理することにより、データ通信サーバーとクライアント間において通話を成立させることなく効率的にデータ通信を行うことができ、通信コストを削減することができる。
【００３９】
また、上記第二の課題を解決するため、本発明は、データ通信制御方法による処理をコンピュータに行なわせるためのプログラム及びそのプログラムを記録した記録媒体とすることもできる。
【００４０】
【発明の実施の形態】
以下、本発明の実施の形態を図面に基づいて説明する。
【００４１】
図１は、本発明の第１実施例に係るデータ通信制御システムにおける構成図である。図１において、データ通信制御システム１００は、クライアント４０との間のデータ通信を行う低速データ通信サーバー２０と、低速データ通信サーバー２０とのデータ通信を行うクライアント４０と、低速データ通信サーバー２０とクライアント４０との通信を制御する交換機５０とで構成されている。交換機５０は、ＩＳＤＮ等のデジタル通信回線網１０を介して低速データ通信サーバー２０に接続されると共に、クライント４０側のデジタル通信回線網１１及びＰＨＳ網１２を介してクライアント４０と接続される。尚、低速データ通信サーバー２０は、低速でデータの送受信を行うが、各回線網を介して着信及び着呼しない状態でクライアント４０とデータの送受信を行うことが可能である。
【００４２】
低速データ通信サーバー２０は、着信及び着呼しない状態でクライアント４０とデータの送受信を行うための伝送データを予め定義し、クライアントから受信したデータに基づいてデータ処理を行うサーバー２５と、着信及び着呼しない状態でデータの送受信を制御する制御装置３０とで構成されている。
【００４３】
サーバー２５は、サーバーコンピュータであって、ＣＰＵ（中央処理装置）により以下に示す各処理部が制御される。サーバー２５は、主に、伝送先を示す所定のクライアント４０の電話番号に付加する伝送データ及びクライアント４０とのデータ通信を制御するための情報を定義する伝送データ定義部２１と、所定の定義情報を制御装置３０に提供すると共に、受信したデータ（呼制御信号）に基づいて処理を行うデータ処理部２２と、伝送データ定義部２１により定義された情報を格納する定義情報ＤＢ２３と、データ通信制御処理を実行するプログラムをインストールするインストーラー２４とで構成される。定義情報ＤＢ２３に格納されるテーブルについては、図２、図６、図９で詳細に説明する。尚、呼制御信号は、ＩＳＤＮによる制御用の信号の送受信に使用されるＤチャネルにより送受信される。
【００４４】
伝送データ定義部２１では、低速データ通信サーバー２０の管理者により伝送データ及びデータ通信制御に必要な情報が定義されると、その定義情報が定義情報ＤＢ２３に格納される。データ処理部２２は、定義情報ＤＢ２３に格納された定義情報を取得して、その定義情報と伝送先の電話番号とを制御装置３０に供給する。また、データ処理部２２はクライアント４０から受信したデータに基づいてデータ処理を行う。
【００４５】
インストーラー２４は、本発明の一実施例に係るデータ通信制御システムにより実行されるデータ通信制御方法を実現するためのプログラムが記録された記録媒体６０から該プログラムを読み出し、その読み出されたプログラムを、例えば、補助記憶装置等にインストールする。そして、後述されるデータ通信制御方法における処理が起動されると、補助記憶装置にインストールされた当該プログラムに従って、ＣＰＵがその処理を開始する。尚、記録媒体６０は、当該プログラムを格納する媒体としてＣＤ−ＲＯＭ等、コンピュータが読み取り可能な媒体であればよい。
【００４６】
低速データ通信サーバー２０の制御装置３０は、伝送先を示す電話番号に伝送データを付加する伝送データ付加部３００と、着信及び着呼しない状態でデータの送受信を制御する通信処理部３０１と、データ伝送元から呼制御信号を受信する呼制御信号受信部３０２とで構成されている。尚、制御装置３０には、サーバー２５で定義された所定の定義情報が予め記録されているものとする。
【００４７】
クライアント４０は、制御機器４１、４２と、その制御機器４１、４２と接続されたデータ通信を制御する制御装置３１、３２とで構成されている。制御装置３１は、デジタル通信回線網１１を介して、制御装置３２はＰＨＳ網１２を介して交換機５０と接続される。制御装置３１、３２は、上記制御装置３０の構成と同様であるため、説明を省略する。
【００４８】
尚、制御装置３０〜３２がサーバー２５及び制御機器４１、４２に設置される時に、低速データ通信サーバー２０により供給された定義情報を制御装置３０〜３２に記録するようにしてもよい。尚、低速データ通信サーバー２０のサーバー２５内に制御装置３０の構成を設けるようにしてもよい。
【００４９】
次に、第１実施例のデータ通信制御方法の処理手順について説明する。まず、クライアント４０から低速データ通信サーバー２０にデータを伝送する場合、クライアント４０の制御装置３１（３２）の伝送データ付加部３００は、データの伝送先である低速データ通信サーバー２０の電話番号（（ＴＥＬ）＊＊＊−＊＊＊−＊＊＊１）に伝送データであるサブアドレスを付加する。通信処理部３０１は、伝送データを付加した電話番号に基づいて、低速データ通信サーバー２０に対して電話発信を行う。例えば、電話発信はデジタル通信回線網１１（ＰＨＳ網１２）を介して交換機５０に伝送される。交換機５０では、デジタル通信回線網１０を介して低速データ通信サーバー２０に電話発信を行う。低速データ通信サーバー２０の制御装置３０の呼制御信号受信部３０２は、電話番号及びサブアドレスに基づいて着信及び着呼を行うことなく呼制御信号を受信する。即ち、呼制御信号受信部３０２は、クライアント４０からの電話発信が切断されるまで待機する。サーバー２５のデータ処理部２１は、呼制御信号受信部３０２からの呼制御信号に基づいて、データ処理を行う。
【００５０】
このように、制御装置３０〜３２により伝送データを付加した電話番号により電話発信を行い、電話発信に対して着信及び着呼を行わずに呼制御信号を受信することにより、通話が成立しない状態で伝送データを受信することができる。従って、通信料金が課金されず、通信コストを掛けずにクライアント４０と低速データ通信サーバー２０とのデータ通信を行うことができる。
【００５１】
次に、定義情報ＤＢ２３に格納されるテーブルについて説明する。図２は、定義情報ＤＢに格納されるテーブルを示す図である。図２において、定義情報ＤＢ２３に格納されるテーブル２３０には、伝送データ定義部２１により定義された伝送データが格納される。テーブル２３０に示す伝送データはサブアドレスであり、テーブル２３０には、サブアドレスの項目とそのサブアドレスに対する定義内容との項目で構成される。例えば、テーブル２３０には、サブアドレス「０１２３４５」と、そのサブアドレスの定義内容「電圧低下」が格納されている。また、テーブル２３０には、サブアドレス「５６７８９０」と、そのサブアドレスの定義内容「温度上昇」が格納されている。上記サブアドレスは、クライアント４０側の制御装置３１、３２の伝送データ付加部３００により、各制御機器４１、４２にエラーが発生したことを認識した場合、伝送先の電話番号に付加される。
【００５２】
次に、クライアント４０のデジタル通信回線網１１を介して低速データ通信サーバー２０にデータ通信を行う場合のデータ通信制御方法の処理手順を説明する。図３は、データ通信制御処理のフローチャートを示す図である。図３において、先ず、ステップＳ１０の処理で、クライアント４０の制御装置３１の通信処理部３０１は、低速データ通信サーバー２０の電話番号（（ＴＥＬ）＊＊＊−＊＊＊−＊＊＊１）に伝送データ（サブアドレス「０１２３４５」）が付加されて、＊＊＊−＊＊＊−＊＊＊１＊０１２３４５として発信する。ステップＳ１１の処理で、低速データ通信サーバー２０の制御装置３０の呼制御信号受信部３０２は、クライアント４０側のデジタル通信回線網１１からの発信を着信及び着呼せずに呼制御信号を受信する。ステップＳ１２の処理で、低速データ通信サーバー２０のデータ処理部２１は、呼制御信号受信部３０２からの呼制御信号に基づいてデータ処理を行う。
【００５３】
次に、クライアント４０のＰＨＳ網１２を介して低速データ通信サーバー２０にデータ通信を行う場合のデータ通信制御方法の処理手順を説明する。図４は、データ通信制御処理のフローチャートを示す図である。図４において、先ず、ステップＳ２０の処理で、クライアント４０の制御装置３２の通信処理部３０１は、低速データ通信サーバー２０の電話番号（（ＴＥＬ）＊＊＊−＊＊＊−＊＊＊１）に伝送データ（サブアドレス「５６７８９０」）が付加されて、＊＊＊−＊＊＊−＊＊＊１＊５６７８９０として発信する。ステップＳ２１の処理で、低速データ通信サーバー２０の制御装置３０の呼制御信号受信部３０２は、クライアント４０側のＰＨＳ網１２からの発信を着信及び着呼せずに呼制御信号を受信する。ステップＳ２２の処理で、低速データ通信サーバー２０のデータ処理部２１は、呼制御信号受信部３０２からの呼制御信号に基づいてデータ処理を行う。
【００５４】
このように、クライアント４０側から低速データ通信サーバー２０にデータを伝送する場合、クライアント４０の制御装置３１、３２により伝送データを付加した電話番号により電話発信を行い、低速データ通信サーバー２０の制御装置３０により電話発信に対して着信及び着呼を行わずに呼制御信号を受信することにより、通話が成立しない状態で伝送データを受信することができる。従って、通信料金が課金されず、通信コストを掛けずにクライアント４０と低速データ通信サーバー２０とのデータ通信を行うことができる。
【００５５】
次に、第２実施例におけるデータ通信制御方法について説明する。図５は、本発明の第２実施例に係るデータ通信制御システムにおける構成図である。尚、図１の第１実施例に係るデータ通信制御システムと同様の構成については説明を省略する。図５において、データ通信制御システム１１０は、２ｎ＋１本の電話回線を有し、クライアント４００との間のデータ通信を行う低速データ通信サーバー２００と、低速データ通信サーバー２００とのデータ通信を行うクライアント４００と、低速データ通信サーバー２００とクライアント４００との通信を制御する交換機５０とで構成されている。交換機５０は、デジタル通信回線網及びアナログ通信回線網である電話回線網１を介して低速データ通信サーバー２００に接続されると共に、クライント４００側のデジタル通信回線網１１及びアナログ通信回線網１３、ＰＨＳ網１２を介してクライアント４００と接続される。
【００５６】
低速データ通信サーバー２００では、低速データ通信サーバー２００からクライアント４００へ１ビット分のデータを伝送するために、３つの電話回線（２×１＋１＝３）を設置している。各電話回線には、着信及び着呼しない状態でデータの送受信を制御する制御装置３４〜３６が接続されている。サーバー２５の定義情報ＤＢ２３には、電話回線毎に、クライアント４００の制御機器４１〜４３の電源オン・オフ制御が定義された情報が格納されている。この定義情報ＤＢ２３に格納される定義情報について、図６で詳細に説明する。
【００５７】
低速データ通信サーバー２００の制御装置３４〜３６は、受信した認識情報に基づいて伝送データを認識する伝送データ認識部３０３と、着信及び着呼しない状態でデータの送受信を制御する通信処理部３０１とで構成されている。尚、制御装置３４〜３６には、サーバー２５で定義された所定の定義情報が予め記録されているものとする。
【００５８】
クライアント４００は、制御機器４１〜４３と、その制御機器４１〜４３と接続されたデータ通信を制御する制御装置３７〜３９とで構成されている。制御装置３７は、デジタル通信回線網１１を介して、制御装置３８は、ＰＨＳ網１２を介して、制御装置３９はアナログ通信回線網１３を介して交換機５０と接続される。制御装置３７〜３９は、上記制御装置３４〜３６の構成と同様であるため、説明を省略する。
【００５９】
尚、制御装置３４〜３６がサーバー２５に設置される時、及び制御装置３７〜３９が制御機器４１〜４３に設置される時に、低速データ通信サーバー２００により供給された定義情報を制御装置３４〜３９に記録するようにしてもよい。
【００６０】
次に、第２実施例のデータ通信制御方法の処理手順について説明する。先ず、低速データ通信サーバー２００からクライアント４００にデータを伝送する場合、低速データ通信サーバー２００の制御装置３４の通信処理部３０１は、例えば、スタートビット（ＳＴＢ）と定義した電話番号（（ＴＥＬ）＊＊＊−＆＆＆＆−００００）をＰＨＳ網１２に対して電話発信を行う。この電話発信は電話回線網１のデジタル通信回線網を介して交換機５０に伝送される。交換機５０では、電話発信をクライアント４００側のＰＨＳ網１２を介して制御装置３８に伝送する。この時、ＰＨＳ網１２の発信元電話番号認識機能により、スタートビットが認識され、制御装置３８に認識情報が供給される。制御装置３８の通信処理部３０１は、着信及び着呼を行うことなくＰＨＳ網１２から認識情報を受信し、伝送データ認識部３０３が認識情報に基づいて、低速データ通信サーバー２００からのデータ伝送の開始を認識する。
【００６１】
次に、低速データ通信サーバー２００の制御装置３４〜３６の通信処理部３０１は、制御機器の電源オフを定義した電話番号（（ＴＥＬ）＊＊＊−？？？？−０００３）をＰＨＳ網１２に対して電話発信を行う。上記と同様に、制御装置３８の通信処理部３０１は、着信及び着呼を行うことなくＰＨＳ網１２から認識情報を受信し、伝送データ認識部３０３が認識情報に基づいて、制御機器の電源オフを認識し、制御機器４２の電源をオフに制御する。尚、ＰＨＳ網１２でのデータ通信に限らず、デジタル通信回線網１１及びアナログ通信回線網１３に対しても同様のデータ通信制御を行うことができるため、説明を省略する。
【００６２】
このように、制御装置３４〜３６により所定の処理が定義された電話番号を用いてクライアント４００へ電話発信を行い、ＰＨＳ網１２の発信元電話番号認識機能により発信元を識別し、制御装置３８で電話発信に対して着信及び着呼を行わずに認識情報を受信して制御機器４２を制御することにより、通話が成立しない状態で、制御機器４２を制御することができる。即ち、通信料金が課金されず、通信コストを掛けずに低速データ通信サーバー２００とクライアント４００とのデータ通信を行うことができる。また、スタートビットについては、データ通信の確実性の向上が目的であり、通信インフラが安定していれば無くても構わない。
【００６３】
次に、第２実施例における定義情報ＤＢ２３に格納されるテーブルについて説明する。図６は、定義情報ＤＢに格納されるテーブルを示す図である。図６において、定義情報ＤＢ２３に格納されるテーブル２３１には、サーバー２５の伝送データ定義部２１により定義された定義情報が格納される。テーブル２３１には、低速データ通信サーバー２００に設けられた複数の電話回線の電話番号の項目と、その電話番号に対する定義内容との項目で構成される。例えば、テーブル２３１には、電話番号「＊＊＊−＆＆＆＆−００００」と、その電話番号に対してデータを伝送するタイミングを示す定義内容「スタートビット」が格納されている。また、テーブル２３１には、電話番号「＊＊＊−＃＃＃＃−０００２」と、その電話番号の定義内容「電源オン」と、電話番号「＊＊＊−？？？？−０００３」と、その電話番号の定義内容「電源オフ」とが格納されている。
【００６４】
次に、低速データ通信サーバー２００からクライアント４００へデータ通信を行う場合のデータ通信制御方法の処理手順を説明する。図７は、データ通信制御処理のフローチャートを示す図である。図７において、先ず、ステップＳ３０の処理で、低速データ通信サーバー２００は、データ通信のスタートを示すスタートビットと定義した電話番号「＊＊＊−＆＆＆＆−００００」をクライアント４００のＰＨＳ網１２に対して電話発信を行う。ステップＳ３１の処理で、クライアント４００の制御装置３８の通信処理部３０１は、着信及び着呼せずにＰＨＳ網１２の発信元電話番号認識機能による認識情報を受信する。ステップＳ３２の処理で、制御装置３８の伝送データ認識部３０３は、認識情報に基づいて低速データ通信サーバー２００からのデータ伝送の開始を認識する。
【００６５】
次に、ステップＳ３３の処理で、低速データ通信サーバー２００は、制御機器４２の電源オフを定義した電話番号「＊＊＊−？？？？−０００３」をクライアント４００側のＰＨＳ網１２に対して電話発信を行う。ステップＳ３４の処理で、クライアント４００の制御装置３８の通信処理部３０１は、着信及び着呼せずにＰＨＳ網１２の発信元電話番号認識機能による認識情報を受信する。ステップＳ３５の処理で、制御装置３８の伝送データ認識部３０３は、認識情報に基づいて低速データ通信サーバー２００からのデータ伝送（制御機器４２の電源オフ）を認識する。ステップＳ３６の処理で、制御装置３８の通信処理部３０１は、低速データ通信サーバー２００からのデータ伝送の認識が成功したか否かを判断する。ステップＳ３６の処理でデータ伝送の認識が成功していない場合、ステップＳ３７の処理で、制御装置３８の通信処理部３０１は、低速データ通信サーバー２００へ再度データ送信を要求し、ステップＳ３２からの処理を繰り返す。ステップＳ３６の処理でデータ伝送の認識が成功した場合、ステップＳ３８の処理で、制御装置３８の伝送データ認識部３０３は、制御機器４２の電源をオフにする。
【００６６】
尚、上記第２実施例のデータ通信制御方法はＰＨＳ網１２を介してデータ通信を行う点に限定されることなく、クライアント４００の制御装置３７〜３９が、着信及び着呼せずに低速データ通信サーバー２００からの呼制御信号を受信することができればよい。
【００６７】
次に、第３実施例におけるデータ通信制御方法について説明する。図８は、本発明の第３実施例に係るデータ通信制御システムにおける構成図である。尚、図５の第２実施例に係るデータ通信制御システムと同様の構成については説明を省略する。図８において、データ通信制御システム１２０は、２ｎ＋１本の電話回線を有し、クライアント４００との間のデータ通信を行う低速データ通信サーバー２１０を有する。尚、低速データ通信サーバー２１０は、低速データ通信サーバー２１０からクライアント４００へ４ビット分のデータを伝送するために、９本の電話回線（２＊４＋１＝９）を設置している。
【００６８】
各電話回線には、着信及び着呼しない状態でデータの送受信を制御する制御装置３１０〜３１８が接続されている。サーバー２５の定義情報ＤＢ２３には、電話回線毎に、クライアント４００の制御機器４１〜４３を制御するためのビット位置及び値が定義された情報が格納されている。この定義情報ＤＢ２３に格納される定義情報について、図９で詳細に説明する。尚、低速データ通信サーバー２１０の制御装置３１０〜３１８は、図５に示す制御装置３４〜３９と同様の構成のため説明を省略する。
【００６９】
次に、第３実施例のデータ通信制御方法の処理手順について説明する。先ず、低速データ通信サーバー２１０からクライアント４００にデータを伝送する場合、低速データ通信サーバー２１０の制御装置３１０の通信処理部３０１は、例えば、スタートビットと定義した電話番号（（ＴＥＬ）＊＊＊−＆＆＆＆−００００）をＰＨＳ網１２に対して電話発信を行う。この電話発信は電話回線網１のデジタル通信回線網を介して交換機５０に伝送される。交換機５０では、電話発信をクライアント４００側のＰＨＳ網１２を介して制御装置３８に伝送する。この時、ＰＨＳ網１２の発信元電話番号認識機能により、スタートビットが認識され、制御装置３８に認識結果が供給される。制御装置３８の通信処理部３０１は、着信及び着呼を行うことなくＰＨＳ網１２から認識結果を受信し、伝送データ認識部３０３が認識結果に基づいて、低速データ通信サーバー２１０からのデータ伝送の開始を認識する。
【００７０】
次に、低速データ通信サーバー２１０の制御装置３１２の通信処理部３０１は、制御機器のビット位置及び値（ビット１＝１）を定義した電話番号（（ＴＥＬ）＊＊＊−？？？？−０００３）をＰＨＳ網１２に対して電話発信を行う。上記と同様に、制御装置３８の通信処理部３０１は、着信及び着呼を行うことなくＰＨＳ網１２から認識結果を受信し、伝送データ認識部３０３が認識結果に基づいて、制御機器のビット位置及び値を認識し、制御機器４２の制御を行う。尚、ＰＨＳ網１２でのデータ通信に限らず、デジタル通信回線網１１及びアナログ通信回線網１３に対しても同様のデータ通信制御を行うことができるため、説明を省略する。
【００７１】
このように、制御装置３１０〜３１８により所定の処理が定義された９回線分の電話番号を用いてクライアント４００へ電話発信を行い、ＰＨＳ網１２の発信元電話番号認識機能により発信元を識別し、制御装置３８で電話発信に対して着信及び着呼を行わずに呼制御信号を受信して制御機器４２を制御することにより、通話が成立しない状態で、制御機器４２を制御することができる。即ち、通信料金が課金されず、通信コストを掛けずに低速データ通信サーバー２１０とクライアント４００とのデータ通信を行うことができる。
【００７２】
次に、第３実施例における定義情報ＤＢ２３に格納されるテーブルについて説明する。図９は、定義情報ＤＢに格納されるテーブルを示す図である。図９において、定義情報ＤＢ２３に格納されるテーブル２３２には、サーバー２５の伝送データ定義部２１により定義された定義情報が格納される。テーブル２３２には、低速データ通信サーバー２１０に設けられた複数（９本）の電話回線の電話番号の項目と、その電話番号に対して４ビット分の定義内容との項目で構成される。尚、定義内容は、１ビット毎に値０、１を定義するものとする。例えば、テーブル２３２には、電話番号「＊＊＊−＆＆＆＆−００００」と、その電話番号に対してデータを伝送するタイミングを示す定義内容「スタートビット」が格納されている。また、テーブル２３２には、電話番号「＊＊＊−！！！！−００００」と、その電話番号の定義内容「ビット１＝０」と、電話番号「＊＊＊−？？？？−００００」と、その電話番号の定義内容「ビット１＝１」等が格納されている。
【００７３】
次に、９本の電話回線を有する低速データ通信サーバー２１０からクライアント４００へデータ通信を行う場合のデータ通信制御方法の処理手順を説明する。図１０は、データ通信制御処理のフローチャートを示す図である。図１０において、先ず、ステップＳ４０の処理で、低速データ通信サーバー２１０は、データ通信のスタートを示すスタートビットと定義した電話番号「＊＊＊−＆＆＆＆−００００」をクライアント４００のＰＨＳ網１２に対して電話発信を行う。ステップＳ４１の処理で、クライアント４００の制御装置３８の通信処理部３０１は、着信及び着呼せずにＰＨＳ網１２の発信元電話番号認識機能による認識情報を受信する。ステップＳ４２の処理で、低速データ通信サーバー２１０は、ビット位置と値を定義した電話番号を特定のクライアント４００に電話発信する。例えば、ビット１＝１を定義した電話番号「＊＊＊−？？？？−００００」をクライアント４００側のＰＨＳ網１２に対して電話発信を行う。
【００７４】
ステップＳ４３の処理で、低速データ通信サーバー２１０は、４ビット分に相当する４回の電話発信を行ったか否かを判断する。ステップＳ４３の処理で４回の電話発信を行っていない場合、ステップＳ４５の処理で、低速データ通信サーバー２１０は、ビット位置を示すビット１＝１又は０、ビット２＝１又は０、ビット３＝１又は０、ビット４＝１又は０の順番に従って、次のビット位置に相当する電話番号により電話発信を行い、ステップＳ４２からの処理を繰り返す。ステップＳ４３の処理で４回の電話発信を行った場合、ステップＳ４４の処理で、クライアント４００の制御装置３８の通信処理部３０１は、低速データ通信サーバー２１０から送信されたビット位置と値を４ビット分受信したか否かを判断する。ステップＳ４４の処理で、ビット位置と値を４ビット分受信していない場合、ステップＳ４９の処理で、制御装置３８の通信処理部３０１は、低速データ通信サーバー２１０へ再度送信を要求し、ステップＳ４０からの処理を繰り返す。
【００７５】
ステップＳ４４の処理で、ビット位置と値を４ビット分受信した場合、ステップＳ４６の処理で、クライアント４００の制御装置３８の通信処理部３０１は、着信及び着呼せずにＰＨＳ網１２の発信元電話番号認識機能による認識情報を受信する。ステップＳ４７の処理で、認識情報に基づいて制御装置３８の伝送データ認識部３０３は、低速データ通信サーバー２１０から伝送されたビット位置と値を認識する。ステップＳ４８の処理で、制御装置３８の伝送データ認識部３０３は、制御機器４２に対して所定の処理を行う。
【００７６】
このように、上記データ通信制御方法において、低速データ通信サーバー２０、２００、２１０によりクライアント４０、４００の制御機器４１〜４３を制御するために定義された定義情報に基づいて、制御装置３０〜３９、３１０〜３１８がデータの送受信を行うことにより、着信及び着呼せずに呼制御信号又は認識情報を受信し、データ処理の実行又は制御機器４１〜４３を制御することができる。即ち、通話が成立しない状態で伝送データを受信するため、通信料金が課金されず、通信コストを掛けずにクライアント４０、４００と低速データ通信サーバー２０、２００、２１０とのデータ通信を行うことができる。
【００７７】
次に、第４実施例におけるデータ通信制御方法について説明する。図１１は、本発明の第４実施例に係るデータ通信制御システムにおける構成図である。尚、図１１において、図８に示す第３実施例に係るデータ通信制御システム１２０と同様の構成については同符号を付して説明を省略する。図１１において、データ通信制御システム１３０は、２ｎ＋１本の電話回線を有し、クライアント４００との間のデータ通信を行う低速データ通信サーバー２１１を有する。尚、低速データ通信サーバー２１１は、低速データ通信サーバー２１１からクライアント４００へ４ビット分のデータを伝送するために、１７本の電話回線（２４＋１＝１７）を設置している。
【００７８】
各電話回線には、着信及び着呼しない状態でデータの送受信を制御する制御装置３２０〜３３６が接続されている。サーバー２５の定義情報ＤＢ２３には、電話回線毎に、クライアント４００の制御機器４１〜４３を制御するためのビット位置及び値が定義された情報が格納されている。この定義情報ＤＢ２３に格納される定義情報については、図１２で詳細に説明する。尚、低速データ通信サーバー２１１の制御装置３２０〜３３６は、図５に示す制御装置３４〜３９と同様の構成のため説明を省略する。
【００７９】
次に、第４実施例のデータ通信制御方法の処理手順について説明する。先ず、低速データ通信サーバー２１１からクライアント４００にデータを伝送する場合、低速データ通信サーバー２１１の制御装置３２０の通信処理部３０１は、例えば、スタートビットと定義した電話番号（（ＴＥＬ）＊＊＊−＆＆＆＆−００００）をＰＨＳ網１２に対して電話発信を行う。この電話発信は電話回線網１のデジタル通信回線網を介して交換機５０に伝送される。交換機５０では、電話発信をクライアント４００側のＰＨＳ網１２を介して制御装置３８に伝送する。この時、ＰＨＳ網１２の発信元電話番号認識機能により、スタートビットが認識され、制御装置３８に認識結果が供給される。制御装置３８の通信処理部３０１は、着信及び着呼を行うことなくＰＨＳ網１２から認識結果を受信し、伝送データ認識部３０３が認識結果に基づいて、低速データ通信サーバー２１１からのデータ伝送の開始を認識する。
【００８０】
次に、低速データ通信サーバー２１１の制御装置３２１の通信処理部３０１は、制御機器のビット値（ビット００００〜１１１１のいずれか）を定義した電話番号（（ＴＥＬ）＊＊＊−？？？？−００００）をＰＨＳ網１２に対して電話発信を行う。上記と同様に、制御装置３８の通信処理部３０１は、着信及び着呼を行うことなくＰＨＳ網１２から認識結果を受信し、伝送データ認識部３０３が認識結果に基づいて、制御機器のビット位置及び値を認識し、制御機器４２の制御を行う。尚、ＰＨＳ網１２でのデータ通信に限らず、デジタル通信回線網１１及びアナログ通信回線網１３に対しても同様のデータ通信制御を行うことができるため、説明を省略する。
【００８１】
次に、第４実施例における定義情報ＤＢ２３に格納されるテーブルについて説明する。図１２は、定義情報ＤＢに格納されるテーブルを示す図である。図１２において、定義情報ＤＢ２３に格納されるテーブル２３３には、サーバー２５の伝送データ定義部２１により定義された定義情報が格納される。テーブル２３３には、低速データ通信サーバー２１１に設けられた複数（１７本）の電話回線の電話番号の項目と、その電話番号に対して４ビット分の定義内容との項目で構成される。尚、定義内容は、１７本の電話番号のうち１本の電話番号にスタートビットと、その他の電話番号にビット００００〜１１１１を定義するものとする。例えば、テーブル２３３には、電話番号「＊＊＊−＆＆＆＆−００００」と、その電話番号に対してデータを伝送するタイミングを示す定義内容「スタートビット」が格納されている。また、テーブル２３３には、電話番号「＊＊＊−！！！！−００００」と、その電話番号の定義内容「ビット００００」と、電話番号「＊＊＊−？？？？−００００」と、その電話番号の定義内容「ビット０００１」等が格納されている。
【００８２】
次に、１７本の電話回線を有する低速データ通信サーバー２１１からクライアント４００へデータ通信を行う場合のデータ通信制御方法の処理手順を説明する。図１３は、データ通信制御処理のフローチャートを示す図である。図１３に示す処理手順は、図１０に示す処理手順とほぼ同様であるため、同様のステップについては同符号を付して説明を省略する。図１３において、ステップＳ５０の処理で、低速データ通信サーバー２１１は、４ビット分に相当する１回の電話発信を行ったか否かを判断する。ステップＳ５０の処理で１回の電話発信を行っていない場合、ステップＳ５２の処理で、低速データ通信サーバー２１１は、ビット００００〜１１１１のビット値に相当するいずれかの電話番号により電話発信を行う。ステップＳ５０の処理で１回の電話発信を行った場合、ステップＳ５１の処理で、クライアント４００の制御装置３８の通信処理部３０１は、低速データ通信サーバー２１０から送信されたビット値を受信したか否かを判断する。ステップＳ５１の処理で、ビット値を受信していない場合、ステップＳ４９の処理で、制御装置３８の通信処理部３０１は、低速データ通信サーバー２１０へ再度送信を要求し、ステップＳ４０からの処理を繰り返す。ステップＳ４４の処理で、ビット値を受信した場合、ステップＳ４６からの処理を行う。
【００８３】
このように、制御装置３２０〜３３６により所定の処理が定義された１７本の電話番号を用いてクライアント４００へ電話発信を行い、ＰＨＳ網１２の発信元電話番号認識機能により発信元を識別し、制御装置で電話発信に対して着信及び着呼を行わずに認識情報を受信して制御機器４２を制御することにより、通話が成立しない状態で、制御機器４２を制御することができる。即ち、通信料金が課金されず、通信コストを掛けずに低速データ通信サーバー２１１とクライアント４００とのデータ通信を行うことができる。
【００８４】
次に、第５実施例におけるデータ通信制御方法について説明する。図１４は、本発明の第５実施例に係るデータ通信制御システムにおける構成図である。尚、図１４において、図８、図１１の第３、４実施例に係るデータ通信制御システムと同様の構成については説明を省略する。図１４において、データ通信制御システム１４０は、２ｎ本の電話回線を有し、クライアント４００との間のデータ通信を行う低速データ通信サーバー２１２を有する。尚、低速データ通信サーバー２１２は、低速データ通信サーバー２１２からクライアント４００へ４ビット分のデータを伝送するために、８本の電話回線（２×４＝８）を設置している。
【００８５】
各電話回線には、着信及び着呼しない状態でデータの送受信を制御する制御装置３４０〜３４７が接続されている。サーバー２５の定義情報ＤＢ２３には、電話回線毎に、クライアント４００の制御機器４１〜４３を制御するためのビット位置及び値が定義された情報が格納されている。この定義情報ＤＢ２３に格納される定義情報について、図１５で詳細に説明する。尚、低速データ通信サーバー２１２の制御装置３４０〜３４７は、図５に示す制御装置３４〜３９と同様の構成のため説明を省略する。
【００８６】
次に、第５実施例のデータ通信制御方法の処理手順について説明する。先ず、低速データ通信サーバー２１２からクライアント４００にデータを伝送する場合、低速データ通信サーバー２１２の制御装置３１０の通信処理部３０１は、例えば、ビット１＝０と定義した電話番号（（ＴＥＬ）＊＊＊−！！！！−００００）をＰＨＳ網１２に対して電話発信を行う。この電話発信は電話回線網１のデジタル通信回線網を介して交換機５０に伝送される。交換機５０では、電話発信をクライアント４００側のＰＨＳ網１２を介して制御装置３８に伝送する。この時、ＰＨＳ網１２の発信元電話番号認識機能により、電話番号に定義された定義情報を認識し、発信制御装置３８に認識結果が供給される。制御装置３８の通信処理部３０１は、着信及び着呼を行うことなくＰＨＳ網１２から認識結果を受信し、伝送データ認識部３０３が認識結果に基づいて、低速データ通信サーバー２１２からのデータ伝送の開始を認識する。
【００８７】
次に、低速データ通信サーバー２１２の制御装置３４０の通信処理部３０１は、制御機器のビット位置及び値（ビット１＝１）を定義した電話番号（（ＴＥＬ）＊＊＊−？？？？−００００）をＰＨＳ網１２に対して電話発信を行う。上記と同様に、制御装置３８の通信処理部３０１は、着信及び着呼を行うことなくＰＨＳ網１２から認識結果を受信し、伝送データ認識部３０３が認識結果に基づいて、制御機器のビット位置及び値を認識し、制御機器４２の制御を行う。尚、ＰＨＳ網１２でのデータ通信に限らず、デジタル通信回線網１１及びアナログ通信回線網１３に対しても同様のデータ通信制御を行うことができるため、説明を省略する。
【００８８】
次に、第５実施例における定義情報ＤＢ２３に格納されるテーブルについて説明する。図１５は、定義情報ＤＢに格納されるテーブルを示す図である。図１５において、定義情報ＤＢ２３に格納されるテーブル２３４には、サーバー２５の伝送データ定義部２１により定義された定義情報が格納される。テーブル２３４には、低速データ通信サーバー２１２に設けられた複数（８本）の電話回線の電話番号の項目と、その電話番号に対して４ビット分の定義内容との項目で構成される。尚、定義内容は、１ビット毎に値０、１を定義するものとする。例えば、テーブル２３４には、電話番号「＊＊＊−！！！！−００００」と、その電話番号の定義内容「ビット１＝０」が格納されている。また、テーブル２３４には、電話番号「＊＊＊−？？？？−００００」と、その電話番号の定義内容「ビット１＝１」等が格納されている。また、ビット４を示す電話番号「＊＊＊−＃＃＃＃−０００２」と、電話番号「＊＊＊−“”−０００３」とをストップビットと定義され、テーブル２３４には、それぞれの電話番号に対する定義内容を「ビット４＝０、ストップビット」、「ビット４＝１、ストップビット」が格納されている。
【００８９】
次に、８本の電話回線を有する低速データ通信サーバー２１２からクライアント４００へデータ通信を行う場合のデータ通信制御方法の処理手順を説明する。図１６は、データ通信制御処理のフローチャートを示す図である。図１６に示す処理手順において、図１０、図１３に示す処理手順と同様のステップについては同符号を付して説明を省略する。図１６において、ステップＳ６０の処理で、低速データ通信サーバー２１２は、ビット１＝０と定義した電話番号「＊＊＊−！！！！−００００」をクライアント４００のＰＨＳ網１２に対して電話発信を行う。ステップＳ４１、Ｓ４２の処理が終了した後、ステップＳ６１の処理で、低速データ通信サーバー２１２は、ビット位置が異なる番号を４ビット分（４回）電話発信を行ったか否かを判断する。ステップＳ６１の処理で４ビット分電話発信を行っていない場合、ステップＳ４２からの処理を繰り返す。ステップＳ６１の処理で４ビット分電話発信を行った場合、ステップＳ４６からの処理を行う。
【００９０】
このように、制御装置３４０〜３４７により所定の処理が定義された８回線分の電話番号を用いてクライアント４００へ電話発信を行い、ＰＨＳ網１２の発信元電話番号認識機能により発信元を識別し、制御装置で電話発信に対して着信及び着呼を行わずに認識情報を受信して制御機器４２を制御することにより、通話が成立しない状態で、制御機器４２を制御することができる。即ち、通信料金が課金されず、通信コストを掛けずに低速データ通信サーバー２１２とクライアント４００とのデータ通信を行うことができる。
【００９１】
次に、第６実施例におけるデータ通信制御方法について説明する。図１７は、本発明の第６実施例に係るデータ通信制御システムにおける構成図である。尚、図１７において、図８、図１１、図１４に示す第３〜５実施例に係るデータ通信制御システムと同様の構成については同符号を付して説明を省略する。図１７において、データ通信制御システム１５０は、クライアント４００へ４ビット分のデータを伝送するために２本の電話回線を有し、クライアント４００との間のデータ通信を行う低速データ通信サーバー２１３を有する。
【００９２】
各電話回線には、着信及び着呼しない状態でデータの送受信を制御する制御装置３５０、３５１が接続されている。サーバー２５の定義情報ＤＢ２３には、電話回線毎に、クライアント４００の制御機器４１〜４３を制御するためのビット位置及び値が定義された情報が格納されている。この定義情報ＤＢ２３に格納される定義情報については、図１８で詳細に説明する。尚、低速データ通信サーバー２１３の制御装置３５０、３５１は、図５に示す制御装置３４〜３９と同様の構成のため説明を省略する。
【００９３】
次に、第６実施例のデータ通信制御方法の処理手順について説明する。先ず、低速データ通信サーバー２１１からクライアント４００にデータを伝送する場合、低速データ通信サーバー２１３の制御装置３５０の通信処理部３０１は、例えば、スタートビットと定義した電話番号（（ＴＥＬ）＊＊＊−＆＆＆＆−００００）をＰＨＳ網１２に対して電話発信を行う。この電話発信は電話回線網１のデジタル通信回線網を介して交換機５０に伝送される。交換機５０では、電話発信をクライアント４００側のＰＨＳ網１２を介して制御装置３８に伝送する。この時、ＰＨＳ網１２の発信元電話番号認識機能により、スタートビットが認識され、制御装置３８に認識結果が供給される。制御装置３８の通信処理部３０１は、着信及び着呼を行うことなくＰＨＳ網１２から認識結果を受信し、伝送データ認識部３０３が認識結果に基づいて、低速データ通信サーバー２１３からのデータ伝送の開始を認識する。
【００９４】
次に、低速データ通信サーバー２１３の制御装置３５０の通信処理部３０１は、制御機器のビット値（ビット１＝０）を定義した電話番号（（ＴＥＬ）＊＊＊−！！！！−００００）をＰＨＳ網１２に対して電話発信を行う。上記と同様に、制御装置３８の通信処理部３０１は、一定時間内にビット１＝１の電話番号の電話発信が行われた否かを認識し、電話発信が行われた場合、着信及び着呼を行うことなくＰＨＳ網１２から認識結果を受信する。伝送データ認識部３０３が認識結果に基づいて、制御機器のビット位置及び値を認識し、制御機器４２の制御を行う。尚、ＰＨＳ網１２でのデータ通信に限らず、デジタル通信回線網１１及びアナログ通信回線網１３に対しても同様のデータ通信制御を行うことができるため、説明を省略する。
【００９５】
次に、第６実施例における定義情報ＤＢ２３に格納されるテーブルについて説明する。図１８は、定義情報ＤＢに格納されるテーブルを示す図である。図１８において、定義情報ＤＢ２３に格納されるテーブル２３５には、サーバー２５の伝送データ定義部２１により定義された定義情報が格納される。テーブル２３５には、低速データ通信サーバー２１３に設けられた２本の電話回線の電話番号の項目と、その電話番号に対して４ビット分の定義内容との項目で構成される。尚、定義内容は、２本の電話番号のうち１本の電話番号にスタートビットと、その他１本の電話番号にビット１＝１を定義するものとする。例えば、テーブル２３５には、電話番号「＊＊＊−＆＆＆＆−００００」と、その電話番号に対してデータを伝送するタイミングを示す定義内容「スタートビット」が格納され、電話番号「＊＊＊−！！！！−００００」と、その電話番号の定義内容「ビット１＝０」が格納されている。
【００９６】
次に、２本の電話回線を有する低速データ通信サーバー２１３からクライアント４００へデータ通信を行う場合のデータ通信制御方法の処理手順を説明する。図１９は、データ通信制御処理のフローチャートを示す図である。図１９に示す処理手順は、図１０、図１３に示す処理手順と同様のステップについては同符号を付して説明を省略する。図１９において、ステップＳ６０の処理で、低速データ通信サーバー２１３は、一定時間内にビット１＝０の電話番号での電話発信を行うか否かを判断する。ステップＳ６０の処理で一定時間内にビット１＝０の電話番号での電話発信を行わない場合、ステップＳ６１の処理で、低速データ通信サーバー２１３は、次のビット送信まで電話発信を行わず、ステップＳ６３の処理を行う。ステップＳ６０の処理で一定時間内にビット１＝０の電話番号での電話発信を行う場合、ステップＳ６２の処理で、低速データ通信サーバー２１３は、ビット１＝０と定義した電話番号を特定のクライアントに電話発信する。ステップＳ６３の処理で、低速データ通信サーバー２１３は、４ビット分の電話発信を行ったか否かを判断する。ステップＳ６３の処理で、４ビット分の電話発信を行わなかった場合、ステップＳ６０からの処理を繰り返す。ステップＳ６３の処理で、４ビット分の電話発信を行った場合、ステップＳ４４以降の処理を行う。
【００９７】
このように、制御装置３５０、３５１により所定の処理が定義された２回線の電話番号を用いてクライアント４００へ電話発信を行い、ＰＨＳ網１２の発信元電話番号認識機能により発信元を識別し、制御装置で電話発信に対して着信及び着呼を行わずに認識情報を受信して制御機器４２を制御することにより、通話が成立しない状態で、制御機器４２を制御することができる。即ち、通信料金が課金されず、通信コストを掛けずに低速データ通信サーバー２１１とクライアント４００とのデータ通信を行うことができる。
【００９８】
次に、第７実施例におけるデータ通信制御方法について説明する。図２０は、本発明の第７実施例に係るデータ通信制御システムにおける構成図である。尚、図１、図５、図８、図１１、図１４、図１７の第１〜６実施例に係るデータ通信制御システムと同様の構成については説明を省略する。図２０において、データ通信制御システム１６０は、ユーザー２の所有するＰＨＳ携帯電話３を用いてデータを送信するクライアント４１０と、ＰＨＳ網（図示せず）を介してクライアント４１０から送信されたデータを受信し、管理する低速データ通信サーバー２２０とで構成されている。クライアント４１０は、ユーザー２を識別する指紋情報を読み取る指紋センサー５と、ユーザー２が所有するＰＨＳ携帯電話３とで構成されている。低速データ通信サーバー２２０は、着信及び着呼しない状態でクライアント４１０からのデータ受信を制御する制御装置３６０と、受信したデータを管理すると共に表示ユニットに表示させるサーバー２５とで構成されている。
【００９９】
次に、第７実施例におけるデータ通信制御方法の処理手順について説明する。先ず、クライアント４１０側のユーザー２は、予め指紋センサー５にユーザー２の指紋と、その指紋に対するユーザーＩＤを登録する（ステップＳ１）。次に、ユーザー２は、指紋センサー５に指を置いて指紋を読み取り、ユーザー２の認証を行う（ステップＳ２）。指紋センサー５は、ユーザーＩＤと認証結果であるＯＫ／ＮＧの結果をＰＨＳ携帯電話３に通知する（ステップＳ３）。ＰＨＳ携帯電話３は、ユーザーＩＤと認証結果とをサブアドレスを付加して低速データ通信サーバー２２０に発信を行う（ステップＳ４）。低速データ通信サーバー２２０では、制御装置３６０により、着信及び着呼しない状態で、サブアドレスに対するユーザーＩＤと認証結果のデータを受信し、サーバー２５に受信したデータを供給する。サーバー２５では、受信したデータを管理すると共に、管理者４の要求に応じて表示ユニットでユーザーＩＤと認証結果の表示が行われる（ステップＳ５）。管理者４は、データ表示からユーザーの認証状況を確認する（ステップＳ６）。
【０１００】
このように、ＰＨＳ携帯電話３からユーザーＩＤと認証結果とをサブアドレスを付加して低速データ通信サーバー２２０へ送信することにより、着信及び着呼しない状態でデータを受信することができると共に、遠隔地からのデータ転送が可能となる。また、ＰＨＳ携帯電話３が破損しても、効率的にサーバー２５でデータを管理することができる。
【０１０１】
また、ＰＨＳ携帯電話３は電話番号と共に端末ＩＤとを有するため、ＰＨＳ携帯電話３の電話番号を複製したとしても、基地局でその電話番号に対する端末ＩＤが認識されないと接続不可能となるため、上記データ通信制御システム１６０におけるサブアドレス発信のデータ送信のセキュリティ度を向上させることができる。
【０１０２】
【発明の効果】
上述の如く本発明によれば、複数の通信網のいずれか一つを介して、データ通信サーバーは制御機器の状態を示す状態情報を管理し、クライアントから電話発信されたデータ通信サーバーを指定する電話番号に付加された状態情報を、クライアントと接続しない状態で取得することにより、データ通信サーバーとクライアント間において通話を成立させることなく効率的にデータ通信を行うことができ、通信コストを削減することができる。
【図面の簡単な説明】
【図１】本発明の第１実施例に係るデータ通信制御システムにおける構成図である。
【図２】定義情報ＤＢに格納されるテーブルを示す図である。
【図３】データ通信制御処理のフローチャートを示す図である。
【図４】データ通信制御処理のフローチャートを示す図である。
【図５】本発明の第２実施例に係るデータ通信制御システムにおける構成図である。
【図６】定義情報ＤＢに格納されるテーブルを示す図である。
【図７】データ通信制御処理のフローチャートを示す図である。
【図８】本発明の第３実施例に係るデータ通信制御システムにおける構成図である。
【図９】定義情報ＤＢに格納されるテーブルを示す図である。
【図１０】データ通信制御処理のフローチャートを示す図である。
【図１１】本発明の第４実施例に係るデータ通信制御システムにおける構成図である。
【図１２】定義情報ＤＢに格納されるテーブルを示す図である。
【図１３】データ通信制御処理のフローチャートを示す図である。
【図１４】本発明の第５実施例に係るデータ通信制御システムにおける構成図である。
【図１５】定義情報ＤＢに格納されるテーブルを示す図である。
【図１６】データ通信制御処理のフローチャートを示す図である。
【図１７】本発明の第６実施例に係るデータ通信制御システムにおける構成図である。
【図１８】定義情報ＤＢに格納されるテーブルを示す図である。
【図１９】データ通信制御処理のフローチャートを示す図である。
【図２０】本発明の第７実施例に係るデータ通信制御システムにおける構成図である。
【符号の説明】
１                        電話回線網
３                        ＰＨＳ携帯電話
５                        指紋センサー
１００、１１０、１２０、１３０、１４０、１５０、１６０  データ通信制御システム
１０、１１                デジタル通信回線網
１２                      ＰＨＳ網
１３                      アナログ通信回線網
２０、２００、２１０、２１１、２１２、２１３、２２０    低速データ通信サーバー
２１                      伝送データ定義部
２２                      データ処理部
２３                      定義情報ＤＢ
２４                      インストーラー
２５                      サーバー
３０〜３９、４１〜４３、３１０〜３１８、３２０〜３３６、３４０〜３４７、３５０、３５１、３６０                制御装置
４０、４００、４１０              クライアント
５０                      交換機
６０                      記録媒体
【図１】
2004304726.tif 000003
【図２】
2004304726.tif 000004
【図３】
2004304726.tif 000005
【図４】
2004304726.tif 000006
【図５】
2004304726.tif 000007
【図６】
2004304726.tif 000008
【図７】
2004304726.tif 000009
【図８】
2004304726.tif 000010
【図９】
2004304726.tif 000011
【図１０】
2004304726.tif 000012
【図１１】
2004304726.tif 000013
【図１２】
2004304726.tif 000014
【図１３】
2004304726.tif 000015
【図１４】
2004304726.tif 000016
【図１５】
2004304726.tif 000017
【図１６】
2004304726.tif 000018
【図１７】
2004304726.tif 000019
【図１８】
2004304726.tif 000020
【図１９】
2004304726.tif 000021
【図２０】
2004304726.tif 000022